【手続補正書】
【提出日】令和3年6月30日(2021.6.30)
【手続補正１】
【補正対象書類名】特許請求の範囲
【補正対象項目名】全文
【補正方法】変更
【補正の内容】
【特許請求の範囲】
【請求項１】
乗り物アトラクションシステムであって、
トラックと、
前記トラックに結合され、該トラックに沿って移動するよう構成されたボギーと、
前記ボギーに結合され、該ボギーにユーザを結合するよう構成された取付機構であって、前記ユーザが前記トラックに対してある角度で移動できるように構成されている取付機構と、
前記ボギーに結合され、ヘッドギアを介して仮想現実（ＶＲ）イメージ及び／又は複合現実（ＭＲ）イメージを前記ユーザに供給するよう構成されたイメージコントローラと、を備える、乗り物アトラクションシステム。
【請求項２】
第２のトラックと、
前記第２のトラックに結合され、該第２のトラックに沿って移動するよう構成された第２のボギーと、
前記第２のボギーに結合され、該第２のボギーに第２のユーザを結合するよう構成された第２の取付機構と、
前記トラックと前記第２のトラックとの間で前記ボギー及び前記第２のボギーを移送するよう構成された１又は２以上のトラックスイッチと、を更に備える、請求項１に記載の乗り物アトラクションシステム。
【請求項３】
前記ボギーは、前記トラックに沿った前記ボギーの移動が、モータ及び／又は前記ユーザの移動によって駆動されるように構成された、請求項１に記載の乗り物アトラクションシステム。
【請求項４】
前記ボギー及び前記取付機構は、前記ユーザの体重を少なくとも部分的に支持するよう構成されている、請求項１に記載の乗り物アトラクションシステム。
【請求項５】
前記イメージコントローラは、前記イメージコントローラに電力を供給するよう構成されたバッテリを備える、請求項１に記載の乗り物アトラクションシステム。
【請求項６】
前記トラックに沿った前記ボギーの移動を介して前記バッテリに電力を供給するよう構成された発電機を更に備える、請求項５に記載の乗り物アトラクションシステム。
【請求項７】
前記取付機構は、ハーネスを介して前記ユーザに結合され、前記ハーネスは、前記取付機構に結合する前に前記ユーザに結合されるよう構成される、請求項１に記載の乗り物アトラクションシステム。
【請求項８】
前記取付機構は、１又は２以上の回転ジョイントを介して共に結合される２又は３以上の剛性アームを備える、請求項１に記載の乗り物アトラクションシステム。
【請求項９】
前記イメージコントローラは、前記ユーザと前記ボギーとの間で前記取付機構に結合される、請求項１に記載の乗り物アトラクションシステム。
【請求項１０】
前記取付機構は、前記ボギーと前記ユーザに結合されるように構成されたハーネスとの間に延びる柔軟なロープ又はケーブルを備える、請求項１に記載の乗り物アトラクションシステム。
【請求項１１】
前記ヘッドギアを更に備える、請求項１に記載の乗り物アトラクションシステム。
【請求項１２】
乗り物アトラクションシステムであって、
トラックと、
前記トラックに結合され、人工動力及び／又はユーザの動力を受けて前記トラックに沿って移動するよう構成された複数のボギーであって、該複数のボギーの各々が、それぞれのユーザに結合されるように構成された前記複数のボギーと、
前記複数のボギーの個々のボギーに結合された少なくとも１つのロック機構と、
コントローラと、を備え、前記コントローラが、
前記トラックに沿って前記複数のボギーの各々の場所に関連するロケーション情報を受け取り、
前記複数のボギーの個々のボギーに結合された前記少なくとも１つのロック機構に対して第１の命令を提供して、前記ロケーション情報に基づいて前記少なくとも１つのロック機構を作動させるようにし、前記第１の命令が、前記少なくとも１つのロック機構を作動させて前記トラックに沿った前記個々のボギーの前進を阻止するようにし、
前記トラックに沿った前記複数のボギーの各々の第２の場所に関連する更新されたロケーション情報を受け取り、
前記個々のボギーに結合された前記少なくとも１つのロック機構に対して第２の命令を提供して、前記ロック機構に前記更新されたロケーション情報に基づいて前記個々のボギーを解放させる、ように構成されている、乗り物アトラクションシステム。
【請求項１３】
前記トラック及び／又は前記個々のボギーに沿って配置され、前記ロケーション情報及び前記更新されたロケーション情報を前記コントローラに送信するよう構成された１又は２以上のセンサを更に備える、請求項１２に記載の乗り物アトラクションシステム。
【請求項１４】
ヘッドギアを更に備え、該ヘッドギアが、前記ヘッドギアを介して仮想現実（ＶＲ）イメージを前記それぞれのユーザに表示するように構成され、前記ＶＲイメージは、前記コントローラから前記ヘッドギアに供給されたＶＲイメージデータに基づいている、請求項１２に記載の乗り物アトラクションシステム。
【請求項１５】
前記ヘッドギアに供給された前記ＶＲイメージデータが、前記コントローラによって受け取られた前記ロケーション情報及び／又は前記更新されたロケーション情報、前記ロック機構を作動させる前記命令、前記それぞれのユーザの動作、又はこれらの何れかの組み合わせに基づいている、請求項１４に記載の乗り物アトラクションシステム。
【請求項１６】
前記コントローラによって受け取られた前記ロケーション情報及び／又は前記更新されたロケーション情報、前記ロック機構を作動させる前記命令、前記それぞれのユーザの動作、又はこれらの何れかの組み合わせに基づいて前記それぞれのユーザに１又は２以上の特殊効果を提供するよう構成された特殊効果システムを更に備える、請求項１２に記載の乗り物アトラクションシステム。
【請求項１７】
前記少なくとも１つのロック機構が、ピン、マグネット、バルーン、又はこれらの何れかの組み合わせである、請求項１２に記載の乗り物アトラクションシステム。
【請求項１８】
乗り物アトラクションシステムであって、
トラックと、
前記トラックに結合され、供給された動力及び／又はユーザの動力を受けて前記トラックに沿って移動するよう構成されたボギーと、
前記ボギーに結合された少なくとも１つのロック機構と、
アトラクションコントローラと、を備え、前記アトラクションコントローラが、
前記ボギーのブロックゾーンの場所に関連するロケーション情報を受け取り、
前記少なくとも１つのロック機構に対して命令を提供して、前記ロケーション情報に基づいて前記少なくとも１つのロック機構を作動させ、前記ボギーを前記ブロックゾーンの場所に保持するようにし、
前記ブロックゾーンの場所において前記ユーザの１又は２以上の動作に関連する入力を受け取り、
前記入力に基づいてトラックスイッチコントローラ又は特殊効果コントローラのうちの一方又は両方に対して命令を提供する、ように構成されている、乗り物アトラクションシステム。
【請求項１９】
第２のボギーを更に備え、前記アトラクションコントローラは、
前記第２のボギーの第２のブロックゾーンの場所に関連する第２のロケーション情報を受け取り、
前記ボギーに結合された前記少なくとも１つのロック機構に対して前記命令を提供して、前記ボギーのブロックゾーンの場所と前記第２のボギーの第２のブロックゾーンの場所との間の距離に基づいて前記ロック機構を作動させる、ように構成されている、請求項１８に記載の乗り物アトラクションシステム。
【請求項２０】
トラックスイッチと、
第２のトラックと、を更に備え、前記トラックスイッチコントローラは、該トラックスイッチコントローラに対する前記命令に基づいて前記トラックスイッチを作動させるように構成され、前記トラックスイッチの作動によって、前記ボギーを前記トラックから結合解除して、前記ボギーを前記第２のトラックに結合する、請求項１８に記載の乗り物アトラクションシステム。
【請求項２１】
特殊効果システムを更に備え、前記特殊効果コントローラが、該特殊効果コントローラに提供された前記命令に基づいて前記特殊効果システムを作動させるように構成され、前記特殊効果コントローラを作動させることにより、振動効果、サウンド効果、流体効果、蒸気／煙効果、又はこれらの何れかの組み合わせを作動させる、請求項１８に記載の乗り物アトラクションシステム。